(57)【要約】      （修正有）【課題】凹部と凸部からなる装飾品の止め具において、軽量小型で脱着が容易で確実に係止できる止め具を提供する。【解決手段】凹部の鰐口クリップ５の一対の顎部材６のいずれか一方の顎部材の内側に吸着部材を設け、かつ、凸部１の係止部材の先端部には吸着部材２を設けて、かつ、鰐口クリップ内の吸着部材の前方には、凸部の係止部材の吸着部材が収納できるホルダーを備える事により、凸部の係止部材が、あらゆる方向に引っ張られても抜ける事はなく、更に、鰐口クリップの後方を軽い力で閉じる動作を行って鰐口クリップの挿入口１０が、開口し係合できる止め具である。【選択図】図１
2020011010.tif 000002
【特許請求の範囲】
【請求項１】
装飾品の片方の鎖状の端部に設けた凹部と、他方の鎖状の端部に設けた凸部とを噛合わせて係止する方式の止め具にあって、前記凹部と前記凸部には、これらを正しい噛合い位置に誘導できる部位に、互いに吸着する磁石の各一方を、あるいは磁石とこれに吸着される金属材を、それぞれ吸着部材として設けた装飾品鎖状の端部の止め具において、前記凹部が、一対の顎部材を開口／閉口可能に軸支したバネ閉じ式の鰐口クリップであり、かつ、前記凸部が一対の開口状態の顎部材間に嵌入して係止される係止部材であり、かつ、前記鰐口クリップの内部における一対の顎部材間に一方の吸着部材を設け、かつ、前記係止部材の前方に他方の吸着部材を設け、かつ、前記鰐口クリップの内部に設けた吸着部材が、前記一対の顎部材のいずれか一方に設けられていて、かつ、前記鰐口クリップの内部に設けた吸着部材の前方には、前記係止部材の吸着部材が、挿入できるホルダーを備えた装飾品鎖状の端部の止め具。
【発明の詳細な説明】
【技術分野】
【００１】本発明は、ネックレス、ブレスレット、アンクレット、キーホルダー、バック、アクセサリー、ベルト、などに使用される装身具などの止め具である。
【背景技術】
【００２】従来技術として、引用文献１が挙げられる。引用文献１では、凹部の鰐口クリップの一対の顎部材いずれか一方の顎部材の内部に磁石が設けてあり、凸部の係止部材の先端部に磁石を設けていて、凸部の係止部材の先端部を、開口した凹部の鰐口クリップの先端付近にロケーションする事で磁力の影響を受けて、凸部の係止部材は、凹部の鰐口クリップの中に挿入されて、係合される止め具が開示されている。
しかし、一対の顎部材の内部には、凸部の係止部材の吸着部材を収納するホルダーは、存在しない。
【特許文献１】特許４０４４５９８
【発明の概要】
【発明が解決しようとする課題】
【００３】図５と図６は従来の引用文献１の技術である。図６で、は凹部の鰐口クリップと凸部の係止部材を長軸の中心線と平行に互いに逆方向に引いても抜ける事はないが、図５で示す通り、長軸の中心線に対して垂直方向又は、６時方向に引っ張ると鰐口クリップの先端部の挿入口が開口して抜けてしまう危険性があった。
【課題を解決するための手段】
【００４】凹部の鰐口クリップの一対の顎部材のいずれか一方の顎部材の内側の吸着部材の前方に、凸部の係止部材の吸着部材を収納できるホルダーを備える事により、凸部の係止部材が、どんな方向に引っ張られても抜ける事はなくなった。
【発明の効果】
【００５】従来技術の引用文献１では、鰐口クリップの長軸の中心線に対して垂直の方向、又は、６時方向に下に引いても抜けないようにする為に、鰐口クリップのバネ材の力を強くして常時閉口状態を保っていた。故に強いバネ材を設置する事で、鰐口クリップの後方を強い力で閉じる動作をしないと係合離脱ができなかった。しかし、宝飾品の止め具は、小さいので強い力で閉じる動作で係合離脱の解除する事は困難であった。本発明により、凹部の鰐口クリップの一対の顎部材のいずれか一方の顎部材の内側に吸着部材を備えてその吸着部材の前方に、凸部の係止部材の吸着部材を収納できるホルダーを備えた。それにより、鰐口クリップ内のバネ材の力を弱くした状態で、凸部の係止部材をどんな方向に引いても抜けなくなった。更に、鰐口クリップの後方を軽い力で閉じる動作をしても、容易に係合離脱出来るようになった。
【図面の簡単な説明】
【図１】本発明の凹部の鰐口クリップ５と凸部の係止部材１の外観の斜視図である。
【図２】本発明の凹部の鰐口クリップ５の内部の斜視図である。
【図３】本発明の断面図である。凹部の鰐口クリップ５の後部を閉じる動作をすることで挿入口１０を開口させて、凸部の係止部材１を鰐口クリップ５の挿入口１０の付近にロケーションし、その後は、磁力の力を利用して挿入しようとしているところである。
【図４】本発明の断面図である。凹部の鰐口クリップ５と凸部の係止部材１が双方の磁力の影響を受け挿入され係止した状態である。係止部材１の吸着部材２は、ホルダー１３の内側の空間１６に収納されて、指で摘まんでいた鰐口クリップ５の後部を開放する事で、止め部１２は、係止部材１のネック部３に食い込み係合した状態である。尚、空間１６の大きさは、吸着部材２より少し大きくして、隙間はあった方が良い。止め部１２は、係止部材１を係止できる形状であれば良く、鰐口クリップ５との間の隙間は、あっても、無くても良い。図面では、止め部１２は、一方の顎部材６の先端部付近のみ設け、空間１６の直径と吸着部材２の直径をほぼ同じにして、空間１６の直径と吸着部材２の隙間をできる限り小さくしているが、止め部１２を顎部材６と顎部材７の両方の先端部付近に設けて、空間１６の直径を吸着部材２の直径より大きくして、空間１６の直径と吸着部材２の隙間を大きく開けても良い。
【図５】引用文献１の断面図である。凹部の鰐口クリップの長軸の中心線に対して垂直方向へ、又は、６時方向へ下に引っ張ると、凸部の係止部材が凹部の顎部材の挿入口を広げることになり、抜けてしまうところである。
【図６】引用文献１の断面図である。凹部の鰐口クリップの長軸の中心線に対して平行に引いても、凸部の係止部材の止め部に当たって係止されるので抜ける事はない。
【発明を実施する為の形態】
【００６】（実施形態）本発明の技術的範囲が、以下の実施形態によって制限されないことは、勿論である。本発明の実施形態に係る装身具の止め具について、図面を参照しながら説明する。凹部（５）が、一対の顎部材（６と７）を開口／閉口可能に軸支したバネ閉じ式の鰐口クリップ（５）であり、凸部（１）が一対の開口状態の顎部材間（６と７の間）に嵌入して係止される係止部材（１）であり、かつ、前記鰐口クリップ（５）の内部における一対の顎部材間（６と７の間）に一方の吸着部材（１４）を設け、かつ、前記係止部材（１）の前方に他方の吸着部材（２）を設け、かつ、前記鰐口クリップの内部に設けた吸着部材（１４）が、前記一対の顎部材のいずれか一方（７）に設置されていて、かつ、前記鰐口クリップ（５）の内部に設けた吸着部材（１４）の前方には、前記係止部材（１）の吸着部材（２）が、挿入できるホルダー（１３）を備えた装飾品鎖状の端部の止め具である。正しい噛合い位置に誘導できる部位とは、凹部（５）と凸部（１）が、確実に係止できる位置に双方の吸着部材を配置する事を意味する。
そして、係止状態においては、凸部（１）の吸着部材（２）の一部又は全部は、ホルダー（１３）の中の空間（１６）に収納される。吸着部材（２）とホルダー（１３）の内側には、僅かな隙間があった方が良い。吸着部材（２）は、あらゆる方向の係合離脱する力が働いても鰐口クリップ（５）のホルダー（１３）は、拡径しないので、凸部（１）の吸着部材（２）は、係止状態の鰐口クリップ（５）の顎部材（６）の先端部の止め部（１２）又は挿入口（１０）を押し広げて抜け落ちる事はない。更に、鰐口クリップ（５）は、閉口する状態へ移行するように付勢するバネ材（１５）を設けているが、強力なバネ材（１５）を備えなくても係止できる構造なので、鰐口クリップ（５）の後部を閉じる方向に軽い力で動作を行う事で挿入口（１０）は開口できる。尚、鰐口クリップ（５）とは、係止部材（１）の噛合い部分を挟着する為の一対の顎部材（６と７）を備えていて、一対の顎部材（６と７）は支軸によって回転可能に拘束され、これらの顎部材（６と７）間に設けたバネ手段により顎部材（６と７）の先端部（係止部材（２）に対する挟着部）同士が開いた状態から閉じた状態へ移行するように付勢されている。鰐口クリップ（５）が閉口状態にある時バネ手段の付勢力に抗して鰐口クリップ（５）の後部を閉じる動作を行う事により、鰐口クリップ（５）が、開口状態となる。係止部材（２）の前方には、吸着部材（２）を備えていて、吸着部材（２）の後部には、吸着部材（２）より細径のネック部（３）を備えている。係止部材（１）の前方に他方の吸着部材（２）とは、係止部材（１）の最先端部分でなくても良くて、吸着部材（１４）の磁力の影響を受ける先端付近に設けてあれば良い。つまり、係止部材（２）は、ホルダー（１３）の中の空間（１６）に一部又は全部を挿入できる形状であって、確実に係止できる形状であれば良く、又、ホルダー（１３）の形状も同様に、係止部材（２）の一部又は全部を挿入できる形状であれば良い。
【産業上の利用可能性】
【００７】本発明は、図１が示すように確実な係止と軽い力で開閉が可能であり理想の止め具を提供できる。
【符号の説明】
【００８】１凸部  ２磁石又は吸着部材  ３ネック部  ４鎖状の先端  ５凹部（鰐口クリップ）  ６顎部材  ７顎部材  ８鎖状と接する接続部  ９軸  １０挿入口又は開口部  １１鎖状の先端  １２止め部  １３ホルダー  １４吸着部材又は磁石  １５バネ材  １６ホルダーの中（凸部の磁石又は吸着部材を収納する空間）  １７ホルダーの一部又はガイド部又は基盤【００９】
【図１】
2020011010.tif 000003
【図２】
2020011010.tif 000004
【図３】
2020011010.tif 000005
【図４】
2020011010.tif 000006
【図５】
2020011010.tif 000007
【図６】
2020011010.tif 000008
【手続補正書】
【提出日】平成30年8月17日(2018.8.17)
【手続補正１】
【補正対象書類名】明細書
【補正対象項目名】全文
【補正方法】変更
【補正の内容】
【発明の詳細な説明】
【技術分野】
【００１】本発明は、ネックレス、ブレスレット、アンクレット、キーホルダー、バック、アクセサリー、ベルト、などに使用される装身具などの止め具である。
【背景技術】
【００２】従来技術として、引用文献１が挙げられる。引用文献１では、凹部の鰐口クリップの一対の顎部材いずれか一方の顎部材の内部に磁石が設けてあり、凸部の係止部材の先端部に磁石を設けていて、凸部の係止部材の先端部を、開口した凹部の鰐口クリップの先端付近にロケーションする事で磁力の影響を受けて、凸部の係止部材は、凹部の鰐口クリップの中に挿入されて、係合される止め具が開示されている。
しかし、一対の顎部材の内部には、凸部の係止部材の吸着部材を収納するホルダーは、存在しない。
【特許文献１】特許４０４４５９８
【発明の概要】
【発明が解決しようとする課題】
【００３】図５と図６は従来の引用文献１の技術である。図６で、は凹部の鰐口クリップと凸部の係止部材を長軸の中心線と平行に互いに逆方向に引いても抜ける事はないが、図５で示す通り、長軸の中心線に対して垂直方向又は、６時方向に引っ張ると鰐口クリップの先端部の挿入口が開口して抜けてしまう危険性があった。
【課題を解決するための手段】
【００４】凹部の鰐口クリップの一対の顎部材のいずれか一方の顎部材の内側の吸着部材の前方に、凸部の係止部材の吸着部材を収納できるホルダーを備える事により、凸部の係止部材が、どんな方向に引っ張られても抜ける事はなくなった。
【発明の効果】
【００５】従来技術の引用文献１では、鰐口クリップの長軸の中心線に対して垂直の方向、又は、６時方向に下に引いても抜けないようにする為に、鰐口クリップのバネ材の力を強くして常時閉口状態を保っていた。故に強いバネ材を設置する事で、鰐口クリップの後方を強い力で閉じる動作をしないと係合離脱ができなかった。しかし、宝飾品の止め具は、小さいので強い力で閉じる動作で係合離脱の解除する事は困難であった。本発明により、凹部の鰐口クリップの一対の顎部材のいずれか一方の顎部材の内側に吸着部材を備えてその吸着部材の前方に、凸部の係止部材の吸着部材を収納できるホルダーを備えた。それにより、鰐口クリップ内のバネ材の力を弱くした状態で、凸部の係止部材をどんな方向に引いても抜けなくなった。更に、鰐口クリップの後方を軽い力で閉じる動作をしても、容易に係合離脱出来るようになった。
【図面の簡単な説明】
【図１】本発明の凹部の鰐口クリップ５と凸部の係止部材１の外観の斜視図である。
【図２】本発明の凹部の鰐口クリップ５の内部の斜視図である。
【図３】本発明の断面図である。凹部の鰐口クリップ５の後部を閉じる動作をすることで挿入口１０を開口させて、凸部の係止部材１を鰐口クリップ５の挿入口１０の付近にロケーションし、その後は、磁力の力を利用して挿入しようとしているところである。
【図４】本発明の断面図である。凹部の鰐口クリップ５と凸部の係止部材１が双方の磁力の影響を受け挿入され係止した状態である。係止部材１の吸着部材２は、ホルダー１３の内側の空間１６に収納されて、指で摘まんでいた鰐口クリップ５の後部を開放する事で、止め部１２は、係止部材１のネック部３に食い込み係合した状態である。尚、空間１６の大きさは、吸着部材２より少し大きくして、隙間はあった方が良い。止め部１２は、係止部材１を係止できる形状であれば良く、係止部材１の噛合い部分との間の隙間は、あっても、無くても良い。図面では、止め部１２は、一方の顎部材６の先端部付近のみ設け、空間１６の直径と吸着部材２の直径をほぼ同じにして、空間１６の直径と吸着部材２の隙間をできる限り小さくしているが、止め部１２を顎部材６と顎部材７の両方の先端部付近に設けて、空間１６の直径を吸着部材２の直径より大きくして、空間１６の直径と吸着部材２の隙間を大きく開けても良い。
【図５】引用文献１の断面図である。凹部の鰐口クリップの長軸の中心線に対して垂直方向へ、又は、６時方向へ下に引っ張ると、凸部の係止部材が凹部の顎部材の挿入口を広げることになり、抜けてしまうところである。
【図６】引用文献１の断面図である。凹部の鰐口クリップの長軸の中心線に対して平行に引いても、凸部の係止部材の止め部に当たって係止されるので抜ける事はない。
【発明を実施する為の形態】
【００６】（実施形態）本発明の技術的範囲が、以下の実施形態によって制限されないことは、勿論である。本発明の実施形態に係る装身具の止め具について、図面を参照しながら説明する。凹部（５）が、一対の顎部材（６と７）を開口／閉口可能に軸支したバネ閉じ式の鰐口クリップ（５）であり、凸部（１）が一対の開口状態の顎部材間（６と７の間）に嵌入して係止される係止部材（１）であり、かつ、前記鰐口クリップ（５）の内部における一対の顎部材間（６と７の間）に一方の吸着部材（１４）を設け、かつ、前記係止部材（１）の前方に他方の吸着部材（２）を設け、かつ、前記鰐口クリップの内部に設けた吸着部材（１４）が、前記一対の顎部材のいずれか一方（７）に設置されていて、かつ、前記鰐口クリップ（５）の内部に設けた吸着部材（１４）の前方には、前記係止部材（１）の吸着部材（２）が、挿入できるホルダー（１３）を備えた装飾品鎖状の端部の止め具である。正しい噛合い位置に誘導できる部位とは、凹部（５）と凸部（１）が、確実に係止できる位置に双方の吸着部材を配置する事を意味する。
そして、係止状態においては、凸部（１）の吸着部材（２）の一部又は全部は、ホルダー（１３）の中の空間（１６）に収納される。吸着部材（２）とホルダー（１３）の内側には、僅かな隙間があった方が良い。吸着部材（２）は、あらゆる方向の係合離脱する力が働いても鰐口クリップ（５）のホルダー（１３）は、拡径しないので、凸部（１）の吸着部材（２）は、係止状態の鰐口クリップ（５）の顎部材（６）の先端部の止め部（１２）又は挿入口（１０）を押し広げて抜け落ちる事はない。更に、鰐口クリップ（５）は、閉口する状態へ移行するように付勢するバネ材（１５）を設けているが、強力なバネ材（１５）を備えなくても係止できる構造なので、鰐口クリップ（５）の後部を閉じる方向に軽い力で動作を行う事で挿入口（１０）は開口できる。尚、鰐口クリップ（５）とは、係止部材（１）の噛合い部分を挟着する為の一対の顎部材（６と７）を備えていて、一対の顎部材（６と７）は支軸によって回転可能に拘束され、これらの顎部材（６と７）間に設けたバネ手段により顎部材（６と７）の先端部（係止部材（２）に対する挟着部）同士が開いた状態から閉じた状態へ移行するように付勢されている。鰐口クリップ（５）が閉口状態にある時バネ手段の付勢力に抗して鰐口クリップ（５）の後部を閉じる動作を行う事により、鰐口クリップ（５）が、開口状態となる。係止部材（２）の前方には、吸着部材（２）を備えていて、吸着部材（２）の後部には、吸着部材（２）より細径のネック部（３）を備えている。係止部材（１）の前方に他方の吸着部材（２）とは、係止部材（１）の最先端部分でなくても良くて、吸着部材（１４）の磁力の影響を受ける先端付近に設けてあれば良い。つまり、係止部材（２）は、ホルダー（１３）の中の空間（１６）に一部又は全部を挿入できる形状であって、確実に係止できる形状であれば良く、又、ホルダー（１３）の形状も同様に、係止部材（２）の一部又は全部を挿入できる形状であれば良い。
【産業上の利用可能性】
【００７】本発明は、図１が示すように確実な係止と軽い力で開閉が可能であり理想の止め具を提供できる。
【符号の説明】
【００８】１凸部  ２磁石又は吸着部材  ３ネック部  ４鎖状の先端  ５凹部（鰐口クリップ）  ６顎部材  ７顎部材  ８鎖状と接する接続部  ９軸  １０挿入口又は開口部  １１鎖状の先端  １２止め部  １３ホルダー  １４吸着部材又は磁石  １５バネ材  １６ホルダーの中（凸部の磁石又は吸着部材を収納する空間）  １７ホルダーの一部又はガイド部又は基盤【００９】